(57)【要約】【課題】  洗面台ユニットを好みに合う高さ寸法にでき、洗面化粧台全体の高さ寸法を所定寸法にでき、ミラーキャビネットユニットの鏡面部分を確保しつつ洗面台ユニットとミラーキャビネットユニットの間隔を確保できて圧迫感を小さくでき、安価な洗面化粧台を提供する。【解決手段】  洗面台ユニット２と、ミラーキャビネットユニット３と、この間の中間ユニット４で構成される。全体の高さ寸法が所定の寸法となる。ミラーキャビネットユニット３の高さ寸法を所定寸法とする。洗面台ユニット２を高さ寸法の異なる複数種類の洗面台ユニット２から選択したものとする。中間ユニット４をスイッチ１３やコンセント１４を備えて高さ寸法が異なる複数種類の中間ユニット４から選択したものとする。選択される各中間ユニット４の高さ寸法に任意の洗面台ユニット２の高さ寸法を加えた寸法を同一とする。【選択図】        図１
2007054542.tif 000002
【特許請求の範囲】
【請求項１】
洗面台ユニットと、洗面台ユニットの上方に配設されるミラーキャビネットユニットと、洗面台ユニットとミラーキャビネットユニット間の隙間に配設されて同隙間を覆うパネル状の中間ユニットの３つの異なるユニットで構成され、全体の高さ寸法が所定の寸法となるように形成される洗面化粧台であって、ミラーキャビネットユニットの高さ寸法を所定の寸法とし、洗面台ユニットを高さ寸法の異なる複数種類の洗面台ユニットから選択した任意の選択洗面台ユニットで構成し、前記中間ユニットをスイッチ又はコンセントの少なくともいずれか一方を前面に備えて高さ寸法が異なる複数種類の中間ユニットから選択した任意の選択中間ユニットで構成し、該選択中間ユニットとして選択される各中間ユニットの高さ寸法に任意の洗面台ユニットの高さ寸法を加えた寸法を同一とすることを特徴とする洗面化粧台。
【請求項２】
上記選択中間ユニットとして選択される中間ユニットとして、前面に設けた機能部が異なる複数種類の中間ユニットを備えて成ることを特徴とする請求項１に記載の洗面化粧台。
【請求項３】
上記ミラーキャビネットユニットを、複数種類の照明部から選択された選択照明部と、該選択照明部とは別体のミラーキャビネット部とで構成して成ることを特徴とする請求項１又は請求項２に記載の洗面化粧台。
【発明の詳細な説明】
【技術分野】
【０００１】
本発明は洗面台ユニットと中間ユニットとミラーキャビネットユニットの３つの異なるユニットで構成した洗面化粧台に関する。
【背景技術】
【０００２】
従来から知られている洗面化粧台は、図６のように洗面台２０と、洗面台２０の上方に配設される別体のミラーキャビネット２１とを備えており、ミラーキャビネット２１と洗面台２０の間はミラーキャビネット２１の後端部から下方に向けて一体に突出したパネル状部分２２で覆われる。
【０００３】
ところで上記洗面化粧台にあっては、洗面台２０は需要者の好みに合う高さ寸法が異なるため、通常高さ寸法の異なる複数種類の洗面台２０から選択された任意の洗面台２０で構成される。他方、ミラーキャビネット２１の高さ寸法は需要者の好みに洗面台２０程違いがなく、また洗面化粧台全体の高さ寸法を統一した商品とするために、通常ミラーキャビネット２１（パネル状部分２２は含まない）は同じ高さ寸法のものが同じ高さ位置に配設される。従って従来の洗面台２０の高さ寸法を変更する場合には、パネル状部分２２のミラーキャビネット２１からの下方への突出長さを変更することで対応し、このパネル状部分２２でミラーキャビネット２１と洗面台２０の間を覆っていた。即ち洗面台２０の高さ寸法が大きい場合にはパネル状部分２２の下方への突出長さを小さくし、洗面台２０の高さ寸法が小さい場合にはパネル状部分２２の下方への突出長さを大きくしていた。
【０００４】
しかし上記パネル状部分２２はミラーキャビネット２１から一体に突出したものであるので、洗面台２０の高さ寸法の変更に対応するには、パネル状部分２２の突出長さのみが異なるミラーキャビネット２１を多数種製造する必要があり、特にミラーキャビネット２１を合成樹脂製とした場合にはミラーキャビネット２１を成形するため大型の金型が多数種必要となる等、製造コストがかかる。またミラーキャビネット２１の照明等の電気器具のスイッチ２３やドライヤ等の電気器具を接続するコンセント２４は通常ミラーキャビネット２１の前面の下端部に設けられており、この場合、ミラーキャビネット２１の鏡面部分の面積を確保しつつ前記スイッチ２３やコンセント２４を設ける場合、スイッチ２３やコンセント２４を設けるためのスペースの分だけミラーキャビネット２１の高さ寸法が大きくなる。従ってミラーキャビネット２１の高さ位置（即ち洗面化粧台全体の高さ寸法）を同じとするにはパネル状部分２２の突出長さを小さくする必要があるのだが、特に洗面台２０の高さ寸法を大きくすると共にこれに伴いパネル状部分２２の突出長さを小さくする時には、ミラーキャビネット２１と洗面台２０の間に形成される空間の上下長さが小さくなってしまい、パネル状部分２２よりも前方に突出したミラーキャビネット２１から与えられる圧迫感が大きく、またこのミラーキャビネット２１が顔を洗ったりする際に邪魔になる。
【０００５】
また例えば特許文献１には、洗面台を構成する洗面台ユニットと、洗面台ユニットの上方に隙間を介して配設されてミラーキャビネットを構成するミラーキャビネットユニットと、洗面台ユニットとミラーキャビネットユニット間の隙間に配設されて同隙間を覆うパネル状の中間ユニットとの３つの異なるユニットで構成した洗面化粧台が開示してあり、この洗面化粧台にあっては、ミラーキャビネットユニットの高さ位置を変更した場合に、高さ寸法を変更したパネル状の中間ユニットで洗面台ユニットとミラーキャビネットユニットの間を覆うようにしている。
【０００６】
しかし特許文献１の洗面化粧台における洗面台ユニットは高さ寸法が異なる複数種類の洗面台ユニットから選択されるものではなく、つまりこの洗面化粧台における中間ユニットはミラーキャビネットユニットの高さ位置の変更に対応するためのものであって洗面台ユニットの高さ寸法の変更に対応するためのものではない。即ちこの特許文献１は高さ寸法が同じミラーキャビネットユニットを用いて洗面化粧台全体の高さ寸法を決められた所定の寸法とするものですらない。
【特許文献１】特開平１０−７５９０７号公報
【発明の開示】
【発明が解決しようとする課題】
【０００７】
本発明は上記従来の問題点に鑑みて発明したものであって、洗面台ユニットを需要者の好みに合う高さ寸法にでき、しかも所定の高さ寸法を有するミラーキャビネットユニットを用いて洗面化粧台全体の高さ寸法を決められた所定の寸法とでき、またミラーキャビネットユニットの鏡面部分を充分確保しつつ洗面台ユニットとミラーキャビネットユニットの間隔を充分に確保でき、しかも安価な洗面化粧台を提供することを課題とするものである。
【課題を解決するための手段】
【０００８】
上記課題を解決するために本発明に係る洗面化粧台は、洗面台ユニット２と、洗面台ユニット２の上方に配設されるミラーキャビネットユニット３と、洗面台ユニット２とミラーキャビネットユニット３間の隙間に配設されて同隙間を覆うパネル状の中間ユニット４の３つの異なるユニットで構成され、全体の高さ寸法が所定の寸法となるように形成される洗面化粧台であって、ミラーキャビネットユニット３の高さ寸法を所定の寸法とし、洗面台ユニット２を高さ寸法の異なる複数種類の洗面台ユニット２から選択した任意の選択洗面台ユニット２で構成し、前記中間ユニット４をスイッチ１３又はコンセント１４の少なくともいずれか一方を前面に備えて高さ寸法が異なる複数種類の中間ユニット４から選択した任意の選択中間ユニット４で構成し、該選択中間ユニット４として選択される各中間ユニット４の高さ寸法に任意の洗面台ユニット２の高さ寸法を加えた寸法を同一とすることを特徴とするものである。
【０００９】
上記構成により、好みの高さ寸法を有する洗面台ユニット２を有する洗面化粧台１を形成でき、需要者の選択の幅が広がる。また選択中間ユニット４として選択される各中間ユニット４の高さ寸法は任意の洗面台ユニット２の高さ寸法を加えた寸法が同一となるように設定しているので、洗面台ユニット２に対応する高さ寸法を有する中間ユニット４を用いることで、中間ユニット４の上端位置を揃えることができ、これにより所定の高さ寸法を有するミラーキャビネットユニット３を合わせた洗面化粧台１全体の高さ寸法を所定の高さ寸法とできる。そしてこの場合、ミラーキャビネットユニット３とは別体の中間ユニット４を変更するだけで、洗面台ユニット２の高さ寸法の変更に対応できるので製造コストを削減できる。また中間ユニット４をスイッチ１３又はコンセント１４の少なくともいずれか一方を前面に備えた複数種類の中間ユニット４から選択した任意の選択中間ユニット４で構成したので、ミラーキャビネットユニット３にスイッチ１３やコンセント１４を設けるためのスペースを確保する必要がなくて、鏡面部分を充分に確保しつつミラーキャビネットユニット３の高さ寸法を小さくできる。またこの場合、洗面台ユニット２の高さ寸法を大きくすると共にこれに伴い中間ユニット４の高さ寸法を小さくした時にも、ミラーキャビネットユニット３と洗面台の間に形成される空間の上下長さを充分に確保でき、ミラーキャビネットユニット３から与えられる圧迫感を抑えることができ、また顔を洗う等する際にミラーキャビネットユニット３が邪魔にならない。
【００１０】
また上記選択中間ユニット４として選択される中間ユニット４として、前面に設けた機能部１６が異なる複数種類の中間ユニット４を備えることも好ましい。好みの高さ寸法を有する洗面台ユニット２と、好みの機能部１６を有する中間ユニット４を組み合わせた洗面化粧台１を形成できる。
【００１１】
また上記ミラーキャビネットユニット３を、複数種類の照明部１０から選択された選択照明部１０と、該選択照明部１０とは別体のミラーキャビネット部５とで構成することも好ましい。同一のミラーキャビネット部５と複数種類の照明部１０を組み合わせて、ミラーキャビネット部５が同一で照明部１０が異なる複数種類のミラーキャビネットユニット３を形成でき、ミラーキャビネットユニット３を構成するミラーキャビネット部５を共通化してコストを削減できる。
【発明の効果】
【００１２】
本発明では、洗面台ユニットを需要者の好みに合う高さ寸法にでき、且つ所定の高さ寸法を有するミラーキャビネットユニットを用いて洗面化粧台全体の高さ寸法を決められた所定の寸法とでき、またミラーキャビネットユニットの鏡面部分を充分確保しつつ洗面台ユニットとミラーキャビネットユニットの間隔を充分に確保でき、しかも安価な洗面化粧台を提供できる。
【発明を実施するための最良の形態】
【００１３】
以下、本発明を添付図面に示す実施形態に基いて説明する。
【００１４】
図１は本実施形態の洗面化粧台１の分解正面図である。図のように洗面化粧台１は、洗面台ユニット２と、洗面台ユニット２の上方に隙間を介して配設されるミラーキャビネットユニット３と、洗面台ユニット２とミラーキャビネットユニット３間の隙間に配設されて同隙間を覆うパネル状の中間ユニット４の３つの異なるユニットで構成され、全体の高さ寸法が予め決められた所定の高さ寸法に形成される。
【００１５】
洗面台を構成する洗面台ユニット２は高さ寸法の異なる複数種類の洗面台ユニット２から選択した任意の選択洗面台ユニット２で構成している。選択洗面台ユニット２として選択される洗面台ユニット２には図３〜図５に示すように高さ寸法（図３〜５のＡで示す）の異なる２種類の洗面台ユニット２ａ、２ｂがある。
【００１６】
図１のように各洗面台ユニット２ａ、２ｂは内部に収納空間を有する箱状のキャビネット部１７上に洗面ボウル６を設けたもので、キャビネット部１７の前面には開閉扉７を設けてあり、また洗面ボウル６の奥壁には洗面台ユニット２ａ、２ｂの幅方向の中央に位置する水栓８を設けている。なお本例では洗面台ユニット２ａのキャビネット部１７に開閉扉７と引出し９を設けてあるのに対して、洗面台ユニット２ｂのキャビネット部１７に引出し９を設けず開閉扉７のみ設けてあり、各洗面台ユニット２ａ、２ｂは異なるキャビネット部１７を有している。また洗面台ユニット２ａと洗面台ユニット２ｂの洗面ボウル６の形状及び高さ寸法は異なり、各洗面台ユニット２ａ、２ｂは異なる洗面ボウル６を有している。
【００１７】
ミラーキャビネットを構成するミラーキャビネットユニット３は所定の高さ寸法を有するものであり、この場合ミラーキャビネットユニット３は高さ寸法（図３〜５のＢで示す）が同じで照明部１０が異なる複数種類のミラーキャビネットユニット３から選択した任意の選択ミラーキャビネットユニット３で構成しても良いし、また全て同一のミラーキャビネットユニット３で構成しても良いが、本例では前者を採用している。
【００１８】
選択ミラーキャビネットユニット３として選択されるミラーキャビネットユニット３には２種類のミラーキャビネットユニット３がある。各ミラーキャビネットユニット３は内部が収納空間となった合成樹脂製のミラーキャビネット部５と、ミラーキャビネット部５上に配設される別体の照明部１０とで全体として箱状に形成され、前部が中間ユニット４の前面よりも前方に突出した状態で洗面台ユニット２の上方に配設される。
【００１９】
各ミラーキャビネットユニット３のミラーキャビネット部５は同一のものであり、両側と中央の夫々に収納部１１を有している。各収納部１１には前面が鏡面となった鏡扉１２を回動自在に取付けており、鏡扉１２で各収納部１１の前面開口を開閉自在としている。そしてこの３枚の鏡扉１２により三面鏡型の洗面化粧台として利用できるようになっている。なお図１では鏡扉１２の図示を省略している。
【００２０】
また各ミラーキャビネットユニット３の照明部１０は複数種類の照明部１０から選択された選択照明部１０からなる。選択照明部１０として選択される各照明部１０は高さ寸法が同じであり、異なる種類の照明器具を備えている。本例では選択照明部１０として選択される照明部１０として、蛍光灯を備えた照明部１０と、白熱灯を備えた照明部１０の２種類があり、この中から選択された任意の選択照明部１０と上記ミラーキャビネット部５を組み合わせて、ミラーキャビネット部５が同一で照明部１０が異なる複数種類のミラーキャビネットユニット３を構成している。なお照明部１０の照明器具の種類としては上記に限定されるものではなく、蛍光灯及び白熱灯以外の照明器具であっても良い。また図１では照明部１０の前面を覆う照明カバー１８の図示を省略している。
【００２１】
上記ミラーキャビネットユニット３と洗面化粧台１の間に配設される中間ユニット４はスイッチ１３又はコンセント１４の少なくともいずれか一方を前面に備えて高さ寸法（図２のＣで示す）が異なる複数種類の中間ユニット４から選択した任意の選択中間ユニット４で構成されている。選択中間ユニット４として選択される中間ユニット４には、図２のように高さ寸法の異なる２種類の中間ユニット４があり、更に各高さ寸法毎に機能の異なる３種類の中間ユニット４があり、計６種類の中間ユニット４ａ〜４ｆがある。
【００２２】
各中間ユニット４ａ〜４ｆは前面の両側端部の上下方向中央部に縦長のスイッチ・コンセント用のパネル１５を設けてあり、各パネル１５にはミラーキャビネットユニット３に設けた照明器具のＯＮ／ＯＦＦを切り換え操作するスイッチ１３や、ドライヤ等の電気器具を接続するためのコンセント１４を設けている。また中間ユニット４の前面におけるパネル１５を設けた両側端部間の中央部分は機能部１６となっており、この機能部１６を変更することで機能の異なる複数種類の中間ユニット４を形成している。
【００２３】
各中間ユニット４ａ〜４ｆの機能部１６としては、ミラーキャビネットユニット３の収納部１１と同質の材料で形成される等して同様の外観を有する垂直な水返し面からなる水返し機能部１６ａ（図２の中間ユニット４ａ、４ｂ参照）と、鏡面からなる鏡面機能部１６ｂ（図２の中間ユニット４ｃ、４ｄ参照）と、照明器具及び照明カバーを設けた照明機能部１６ｃ（図２の中間ユニット４ｅ、４ｆ参照）の３種類がある。なお機能部１６としてはこの他に収納棚からなる収納棚機能部等、従来から公知の洗面台とミラーキャビネット間を覆うパネル状部分に設けられるその他の機能部を採用しても良い。また上記では選択中間ユニット４として選択される各中間ユニット４にスイッチ１３とコンセント１４を設けたが、スイッチ１３のみを設けても良いし、コンセント１４のみを設けても良い。
【００２４】
ここで上記選択中間ユニット４として選択される各中間ユニット４の高さ寸法は高さ寸法の異なる複数種類の洗面台ユニット２のうち任意の洗面台ユニット２の高さ寸法を加えた寸法が同一となるように設定されている（即ちＡ＋Ｃ＝一定）。つまり本例では図２の高さ寸法が小さい中間ユニット４ａ、４ｃ、４ｅと図３、図５に示す高さ寸法が大きい洗面台ユニット２ｂとが対応しており、高さ寸法が大きい中間ユニット４ｂ、４ｄ、４ｆと図４に示す高さ寸法が小さい洗面台ユニット２ａが対応しており、各中間ユニット４ａ〜４ｆの高さ寸法に対応する洗面台ユニット２ａ、２ｂの高さ寸法を加えた寸法が全て同じとなるように設定してある。
【００２５】
上記洗面化粧台１の設置は、例えば複数種類ある洗面台ユニット２から選択された需要者の好みに合う高さ寸法を有する洗面台ユニット２を室内壁面に沿って床面に設置し、この後洗面台ユニット２に対応する高さ寸法を有する中間ユニット４の中から選択された任意の機能部１６を有する中間ユニット４と、任意の照明部１０を有するミラーキャビネットユニット３とを室内壁面に取付けて洗面台ユニット２の後部上方に配設する。
【００２６】
このように構成された各洗面化粧台１にあっては、ミラーキャビネットユニット３と洗面台ユニット２間に形成された隙間が洗面台ユニット２に対応する高さ寸法を有する中間ユニット４により完全に覆われる。
【００２７】
上記により例えば図３のように高さ寸法が小さい洗面台ユニット２ａと高さ寸法が大きく水返し機能部１６ａを備えた中間ユニット４ａを有する洗面化粧台１や、図４のように高さ寸法の大きい洗面台ユニット２ｂと高さ寸法が小さく水返し機能部１６ａを備えた中間ユニット４ｂを有する洗面化粧台１や、図５のように高さ寸法が大きい洗面台ユニット２ｂと高さ寸法が小さく照明機能部１６ｃを備えた中間ユニット４ｆを有する洗面化粧台１等、好みの高さ寸法を有する洗面台ユニット２と、好みの機能部１６を有する中間ユニット４を組み合わせた洗面化粧台１を形成でき、需要者の選択の幅が広がる。
【００２８】
また選択中間ユニット４として選択される各中間ユニット４の高さ寸法は任意の洗面台ユニット２の高さ寸法を加えた寸法が同一となるように設定しているので、洗面台ユニット２に対応する高さ寸法を有する中間ユニット４を用いれば中間ユニット４の上端位置を揃えることができ、これにより高さ寸法が同じミラーキャビネットユニット３を同じ高さ位置に設けることで洗面化粧台１全体の高さ寸法を所定の寸法として統一できる。
【００２９】
そしてこの場合、ミラーキャビネットユニット３とは別体の中間ユニット４を変更するだけで、洗面台ユニット２の高さ寸法の変更に対応できるので製造コストを削減できる。また中間ユニット４をスイッチ１３又はコンセント１４の少なくともいずれか一方を前面に備えた複数種類の中間ユニット４から選択した任意の選択中間ユニット４で構成したので、ミラーキャビネットユニット３にスイッチ１３やコンセント１４を設けるためのスペースを確保する必要がなくて、鏡面部分を充分に確保しつつミラーキャビネットユニット３の高さ寸法を小さくできる。またこの場合、中間ユニット４の高さ寸法を十分に確保でき、洗面台ユニット２の高さ寸法を大きくすると共にこれに伴い中間ユニット４の高さ寸法を小さくした時にも、ミラーキャビネットユニット３と洗面台の間に形成される空間の上下長さを充分に確保でき、ミラーキャビネットユニット３から与えられる圧迫感を抑えることができ、また顔を洗う等する際にミラーキャビネットユニット３が邪魔にならない。また中間ユニット４にスイッチ１３やコンセント１４を設けたことで、中間ユニット４の高さ寸法の変更に関わらずスイッチ１３やコンセント１４を洗面台２０に近づけることができ、洗面台２０の水栓８の近くに配置されたスイッチ１３やコンセント１４を手を伸ばすことなく容易に利用できて便利である。
【００３０】
また本例ではミラーキャビネットユニット３を、複数種類の照明部１０から選択された選択照明部１０と、該選択照明部１０とは別体のミラーキャビネット部５とで構成したので、同一のミラーキャビネット部５と複数種類の照明部１０を組み合わせて、ミラーキャビネット部５が同一で照明部１０が異なる複数種類のミラーキャビネットユニット３を形成でき、ミラーキャビネットユニット３を共通化してコストを削減できる。
【図面の簡単な説明】
【００３１】
【図１】本発明の実施の形態の一例を示し、洗面化粧台の分解正面図である。
【図２】同上の選択中間ユニットとして選択される複数種類の中間ユニットを示す正面図である。
【図３】同上の洗面化粧台の正面図である。
【図４】図３の洗面台ユニットを高さ寸法の大きい洗面台ユニットに変更した他例の洗面化粧台の正面図である。
【図５】図４の中間ユニットを異なる機能部を有する中間ユニットに変更した更に他例の洗面化粧台の正面図である。
【図６】従来の洗面化粧台の分解正面図である。
【符号の説明】
【００３２】
１  洗面化粧台
２  洗面台ユニット
３  ミラーキャビネットユニット
４  中間ユニット
１０  照明部
１３  スイッチ
１４  コンセント
【図１】
2007054542.tif 000003
【図２】
2007054542.tif 000004
【図３】
2007054542.tif 000005
【図４】
2007054542.tif 000006
【図５】
2007054542.tif 000007
【図６】
2007054542.tif 000008